(57)【要約】【課題】色覚障害状態のタイプに応じた見易い色調に自動的に調整することが可能なディスプレイ表示方法を提供する。【解決手段】通常動作モード中にディスプレイに画面表示される画面内に同一機能の複数のアイコンを色覚障害状態判定アイコンとして互いの色調を変えて表示し（ステップＳ２）、利用者が複数の前記アイコンのいずれかを選択して操作する都度、操作した結果に基づいて該利用者の現時点における色覚障害状態を判定し（ステップＳ３）、該現時点における色覚障害状態の判定結果を過去の累積色覚障害状態判定結果に反映させることにより現時点における累積色覚状態判定結果を取得して逐次記憶する（ステップＳ４〜Ｓ６）。そして、該利用者が複数の前記アイコンのいずれかを選択して操作する都度、該利用者の現時点における累積色覚障害状態判定結果に応じた色調に、画面表示されている文字や画像や背景の色調を調整する（ステップＳ７〜Ｓ８）。【選択図】        図４
2019191730.tif 000002
【特許請求の範囲】
【請求項１】
カラーディスプレイを備えたディスプレイ付き電子機器において、
通常の動作モード中に前記カラーディスプレイに画面表示される利用者操作用のアイコンやボタンとして、同一画面上に同じ機能を有する複数のアイコンやボタンをそれぞれ異なる色調に設定した状態で画面表示し、
かつ、画面表示された複数の前記アイコンや前記ボタンのうち、利用者がいずれのアイコンやボタンを選択して操作したかという操作結果に基づいて該利用者の現時点における色覚障害状態を判定した判定結果を、該利用者が前記アイコンや前記ボタンを選択して操作する都度、逐次累積していき、
かつ、該利用者が前記アイコンや前記ボタンを選択して操作する都度、逐次累積した前記判定結果に基づいて取得される該利用者の現時点における累積色覚障害状態に応じた色調に、画面表示されている文字や画像や背景の色調を調整する、
ことを特徴とするディスプレイ付き電子装置。
【請求項２】
前記利用者の前記現時点における累積色覚障害状態として、
該利用者の色覚障害状態の有無、該利用者の色覚障害状態のタイプ、該利用者の色覚障害状態の程度のそれぞれを過去から現時点も含めて累積した情報を少なくとも含んでいる、
ことを特徴とする請求項１に記載のディスプレイ付き電子装置。
【請求項３】
前記利用者の前記現時点における累積色覚障害状態に応じた色調に、画面表示されている文字や画像や背景の色調を調整する際に、該利用者にとって見易い前記カラー表示が、色覚正常者が見ているカラー表示からかけ離れてしまうことがない近似した色調になるように調整する、
ことを特徴とする請求項１または２に記載のディスプレイ付き電子装置。
【請求項４】
前記利用者の前記現時点における色覚障害状態を判定する都度、判定した該利用者の前記現時点における色覚障害状態を含む形に、該利用者の現時点に至るまでの色覚障害状態を逐次累積した過去の累積色覚障害状態を更新することにより、前記現時点における累積色覚障害状態として取得する、
ことを特徴とする請求項１ないし３のいずれかに記載のディスプレイ付き電子装置。
【請求項５】
カラーディスプレイを備えたディスプレイ付き電子機器において、利用者の色覚状態に応じて色調を調整して前記カラーディスプレイに画面表示するディスプレイ表示方法であって、
通常の動作モード中に前記カラーディスプレイに画面表示される利用者操作用のアイコンやボタンとして、同一画面上に同じ機能を有する複数のアイコンやボタンをそれぞれ異なる色調に設定した状態で画面表示し、
かつ、画面表示された複数の前記アイコンや前記ボタンのうち、前記利用者がいずれのアイコンやボタンを選択して操作したかという操作結果に基づいて該利用者の現時点における色覚障害状態を判定した判定結果を、該利用者が前記アイコンや前記ボタンを選択して操作する都度、逐次累積していき、
かつ、該利用者が前記アイコンや前記ボタンを選択して操作する都度、逐次累積した前記判定結果に基づいて取得される該利用者の現時点における累積色覚障害状態に応じた色調に、画面表示されている文字や画像や背景の色調を調整する、
ことを特徴とするディスプレイ表示方法。
【請求項６】
前記利用者の前記現時点における累積色覚障害状態として、
該利用者の色覚障害状態の有無、該利用者の色覚障害状態のタイプ、該利用者の色覚障害状態の程度のそれぞれを過去から現時点も含めて累積した情報を少なくとも含んでいる、
ことを特徴とする請求項５に記載のディスプレイ表示方法。
【請求項７】
前記利用者の前記現時点における累積色覚障害状態に応じた色調に、画面表示されている文字や画像や背景の色調を調整する際に、該利用者にとって見易い前記カラー表示が、色覚正常者が見ているカラー表示からかけ離れてしまうことがない近似した色調になるように調整する、
ことを特徴とする請求項５または６に記載のディスプレイ表示方法。
【請求項８】
カラーディスプレイを備えたディスプレイ付き電子機器において、利用者の色覚状態に応じて色調を調整して前記カラーディスプレイに画面表示する処理をコンピュータによって実行するディスプレイ表示プログラムであって、
通常の動作モード中に前記カラーディスプレイに画面表示される利用者操作用のアイコンやボタンとして、同一画面上に同じ機能を有する複数のアイコンやボタンをそれぞれ異なる色調に設定した状態で画面表示し、
かつ、画面表示された複数の前記アイコンや前記ボタンのうち、前記利用者がいずれのアイコンやボタンを選択して操作したかという操作結果に基づいて該利用者の現時点における色覚障害状態を判定した判定結果を、該利用者が前記アイコンや前記ボタンを選択して操作する都度、逐次累積していき、
かつ、該利用者が前記アイコンや前記ボタンを選択して操作する都度、逐次累積した前記判定結果に基づいて取得される該利用者の現時点における累積色覚障害状態に応じた色調に、画面表示されている文字や画像や背景の色調を調整する、
ことを特徴とするディスプレイ表示プログラム。
【請求項９】
前記利用者の前記現時点における累積色覚障害状態として、
該利用者の色覚障害状態の有無、該利用者の色覚障害状態のタイプ、該利用者の色覚障害状態の程度のそれぞれを過去から現時点も含めて累積した情報を少なくとも含んでいる、
ことを特徴とする請求項８に記載のディスプレイ表示プログラム。
【請求項１０】
前記利用者の前記現時点における累積色覚障害状態に応じた色調に、画面表示されている文字や画像や背景の色調を調整する際に、該利用者にとって見易い前記カラー表示が、色覚正常者が見ているカラー表示からかけ離れてしまうことがない近似した色調になるように調整する、
ことを特徴とする請求項８または９に記載のディスプレイ表示プログラム。
【発明の詳細な説明】
【技術分野】
【０００１】
本発明は、ディスプレイ付き電子機器、ディスプレイ表示方法およびディスプレイ表示プログラムに関する。本発明は、例えば、スマートフォン、タブレット端末、電話機、ゲーム機、テレビ、ＤＶＤやデータ放送などの選択肢を有する映像コンテンツ装置、デジタルカメラ、ビデオカメラ、コピー機、ＰＣ（Personal  Computer）、各種家電（冷蔵庫、洗濯機、エアコンなど）、等の多様なディスプレイ付き電子機器に好適に適用することが可能である。
【背景技術】
【０００２】
非特許文献１の“カラーバリアフリー  色使いのガイドライン”（国立遺伝学研究所）にも記載されているように、人間の目の網膜には、３種類の錐体細胞があり、それぞれ、赤、緑、青を感じる視物質を有していて、３種類のうちいずれかの視物質視物質の機能が損なわれた状態になると、「色覚障害状態」になる。日本人の場合、色覚障害状態は男性の約５％が持っている障害であり、約３００万人にも達している。この色覚障害者の人数は、身体障害者の総数を超えるほどになることがＮＰＯ法人カラーユニバーサルデザイン機構（ＣＵＤＯ：Color  Universal  Design  Organization）の公式ホームページでも知ることができる。
【０００３】
赤、緑、青といった色合いは、色覚正常状態の場合には、図５に示すように、虹の色（赤・橙・黄・緑・青・藍・紫）を順に正円形の円周上に並べた色相環として表示される。色相環において直径の反対側の円周上にある色同士（例えば、赤と青緑、緑と赤紫、青と黄みの橙）は補色関係にあると言い、３種の視物質全ての機能が揃っている一般型（Ｃ型）の色覚正常者の場合、最も色の差が大きく判別し易い色の組み合わせであるとされている。図５は、色覚正常者における虹の色の順番を示す色相環の説明図である。
【０００４】
一方、色覚障害者にとっては、図６に例示するように、色相環が正円形ではなく楕円形の円周上に各色を並べた形になっている。色覚障害者の場合、補色関係といっても、長軸側の補色は、色覚正常者の場合と同様に識別し易いものの、短軸側の補色は、色覚正常者の場合とは異なり識別することが難しい。図６は、色覚障害者における虹の色の順番を示す色相環の説明図であり、後述する１型色覚障害状態（Ｐ型）あるいは２型色覚障害状態（Ｄ型）のタイプの場合について示している。図６に示す楕円形の色相環においては、長軸側の黄色系（黄みの橙・黄・黄緑）と青・紫系（青・青紫・紫）との補色関係については色を判別し易いものの、短軸側の赤系（赤紫・赤・赤みの橙）と緑系（緑・青緑・緑みの青）との補色関係については接近した形となるので、色の識別が難しい状態になっている場合を示している。
【０００５】
ここで、色覚障害状態には、赤を感じる視物質が機能低下または欠乏している１型色覚障害状態（Ｐ型）、緑を感じる視物質が機能低下または欠乏している２型色覚障害状態（Ｄ型）、青を感じる視物質が機能低下または欠乏している３型色覚障害状態（Ｔ型）、さらには、前記３種類のうちいずれか２種類以上の視物質が機能低下または欠乏している全色盲(Ａ型)、の合計４種類の色覚障害状態がある。
【０００６】
１型色覚障害状態（Ｐ型）と２型色覚障害状態（Ｄ型）では、赤系統と緑系統との色の識別が難しい。１型色覚障害状態（Ｐ型）は、さらに、赤を暗く感じるため、濃い赤と黒との識別が難しい（赤が黒のように見え、また、ピンクが青のように見える）。その一方で、１型色覚障害状態（Ｐ型）と２型色覚障害状態（Ｄ型）では、ともに、青の視物質に依存する度合いが高いため、色覚正常状態の場合よりも青色への感度は高く、緑と青緑とは全く別の色に見える。
【０００７】
また、３型色覚障害状態（Ｔ型）については、色覚正常者と比較的近い（色覚正常者は、３つの視物質のうち赤と緑とからの情報を重点的に色識別に利用しており、青からの情報の比重が小さい）。しかし、青と緑との識別が、色覚正常状態の場合よりも困難となっている。また、全色盲（Ａ型）については、白黒識別となり、さらに、著しい視力低下も伴う。
【０００８】
日本における４種類の色覚障害状態の色覚障害状態全体に対する割合は、１型色覚障害状態（Ｐ型）が約２５％、２型色覚障害状態（Ｄ型）が約７５％、３型色覚障害状態（Ｔ型）、全色盲（Ａ型）は０.０２％程度となっている。つまり、１型色覚障害状態（Ｐ型）、２型色覚障害状態（Ｄ型）の２つが色覚障害状態の大多数を占めている。
【０００９】
かかる状況に対応するために、近年、色覚バリアフリーを目指すカラーユニバーサルデザイン（ＣＵＤ）を採用する各種製品、各種サービスが増えつつある。具体的には、スマートフォン、タブレット端末、電話機、ゲーム機、テレビ、ＤＶＤやデータ放送などの選択肢を有する映像コンテンツ装置、デジタルカメラ、ビデオカメラ、コピー機、ＰＣ、各種家電（冷蔵庫、洗濯機、エアコンなど）、等のカラーディスプレイを備えた各種の電子機器やサービスに、ＣＵＤ対応の機能を搭載するようになってきている。しかしながら、現状のＣＵＤ対応製品やＣＵＤ対応サービスに関しては、色覚障害者があらかじめＣＵＤに対応するための設定を行うなどの事前作業が必要であり、また、色覚正常者にとっては不要な手間が発生しており、色覚バリアフリーに達するまではまだ不十分な状況にある。
【００１０】
例えば、ＣＵＤに対応した現状の技術として、以下のような提案がなされているが、それぞれ、次のような課題がある。
【００１１】
（１）特許文献１の特開２００９-１５４３８号公報「画像受付装置および画像受付処理プログラム」
色覚障害者自身が見易いように、カラー表示システムの濃度、明度、彩度などの調整を可能としている。しかし、色覚障害者自身が自由に設定することができるので、該カラー表示システムのデザイナのカラーデザインや色覚正常者が見ているカラー表現とはかけ離れたカラー表現になってしまうことが十分に考えられる。
【００１２】
（２）特許文献２の特許第５０９６９９３号公報「色変換装置、色変換方法および色変換プログラム」
表示する画像のカラー情報に基づいて最適なカラー表現を行う方法を提案しているが、一意の最適化が実施されることになっている。しかし、色覚には、前述したように、Ｃ型、Ｐ型、Ｄ型、Ｔ型、Ａ型の４種類のタイプがあり、Ｃ型以外の色覚障害状態の型の場合、色の見え方がそれぞれ異なるタイプの色覚障害状態となる。すなわち、一意の最適化だけでは各タイプの色覚障害状態に対応することができない。
【００１３】
（３）特許文献３の特開２０１０-２６８１３８号公報「色調整装置、色調整方法、プログラム」
色覚障害者が判別し易いように色調整する方法を提案しているが、主観評価をあらかじめ実施して色の見え方に関する閾値を設定しておくことが必要になる。さらに、該閾値がその後も常に最適であるとは限らない。
【００１４】
（４）特許文献４の特許第５８７９２４３号公報「画像表示装置、画像読取装置および画像形成装置」
装置の利用者に関して色覚障害者と色覚正常者とをあらかじめ判別しておき、装置利用の際に、利用者がユーザログインを行うことによって、色覚障害者と色覚正常者とのそれぞれに適したカラー表現を提供する方法を提案している。しかし、前記特許文献３の場合と同様に、色覚障害者の色調整をあらかじめ行う必要があり、かつ、しかる後においても、該色調整の内容が最適とは限らない。
【００１５】
（５）特許文献５の特開２０１４−７８８９３号公報「情報表示装置」
携帯端末から利用者の色覚情報を取得して、情報表示装置の表示部に画面表示する色調を、利用者の色覚情報に合わせる変換を行ってから画面表示する方法を提案している。しかし、利用者の色覚情報を保持していない状態から開始して、次第に、現状の当該利用者の色覚に合わせた表示に自動的に調整して行くことができないし、さらには、利用者の現状の色覚状態に応じた色調表示を行うためには、情報表示装置を利用しようとする都度、利用者が携帯端末にあらかじめ色覚情報を登録する手間が必要になり、操作が煩雑化する。
【００１６】
（６）特許文献６の特開２００７−１９０１１３号公報「映像出力装置」
設定画面において色調の異なる２つの画像を表示し、利用者がいずれの画像を選択するかによって画面の色調表示を利用者の色覚に合わせる方法を提案している。しかし、色調調整は設定画面のみに限定したものであり、通常の動作モード中に利用される各種アプリにおいて画面表示されるアイコン等の画像や文字、背景に対する色調調整を行うことはできないし、利用者の現状の色覚障害状態の状況に応じて、該利用者が操作しているアプリの画面の色調の調整を行うこともできない。
【先行技術文献】
【特許文献】
【００１７】
【特許文献１】特開２００９−１５４３８号公報
【特許文献２】特許第５０９６９９３号公報
【特許文献３】特開２０１０−２６８１３８号公報
【特許文献４】特許第５８７９２４３号公報
【特許文献５】特開２０１４−７８８９３号公報
【特許文献６】特開２００７−１９０１１３号公報
【非特許文献】
【００１８】
【非特許文献１】国立遺伝学研究所、“カラーバリアフリー  色使いのガイドライン”、［online］、平成１７年４月［平成３０ 年３月１９日検索］、インターネット〈ＵＲＬ：http:// www.nig.ac.jp/color/guideline_kanagawa.pdf〉
【発明の概要】
【発明が解決しようとする課題】
【００１９】
前述したように、スマートフォン等のカラーディスプレイに表示される文字や画像や背景の色調は、通常、色覚がＣ型の色覚正常者に合わせて設定されていて、色覚がＰ型・Ｄ型・Ｔ型・Ａ型の色覚障害者にとっては見え難い場合が多くなる傾向にあった。最近は、ＣＵＤ対応製品やＣＵＤ対応サービスが徐々に増加しつつあるものの、本発明に関連する前記特許文献１〜前記特許文献５等の現状のＣＵＤ対応製品やＣＵＤ対応サービスに関しては、色覚障害者があらかじめＣＵＤに対応するための設定を行うなどの事前作業が必要であり、また、色覚正常者にとっては不要な手間が発生している。
【００２０】
さらには、色覚障害者といっても、色覚障害状態のタイプによって差があり、特定のタイプの色覚障害者に合わせた色調は、他のタイプの色覚障害者にとっては見易いものではなく、現状の技術は、色覚バリアフリーという状態に達するまではまだ不十分な状況にある。すなわち、色覚バリアフリーという状態に達するためには、カラーユニバーサルデザイン（ＣＵＤ）に対応したディスプレイとして、該ディスプレイに表示される文字や画像や背景の色調を、利用者である色覚障害者個々人の現時点における色覚に合わせて、見易い色調に自動的に調整する仕組みを備えていることが必要である。
【００２１】
（本発明の目的）
本発明は、かかる事情に鑑みてなされたものであり、色覚障害状態のタイプに応じた見易い色調に自動的に調整することが可能なディスプレイ付き電子機器、ディスプレイ表示方法およびディスプレイ表示プログラムを提供することを、その目的としている。
【課題を解決するための手段】
【００２２】
前述の課題を解決するため、本発明によるディスプレイ付き電子機器、ディスプレイ表示方法およびディスプレイ表示プログラムは、主に、次のような特徴的な構成を採用している。
【００２３】
（１）本発明によるディスプレイ付き電子機器は、
カラーディスプレイを備えたディスプレイ付き電子機器において、
通常の動作モード中に前記カラーディスプレイに画面表示される利用者操作用のアイコンやボタンとして、同一画面上に同じ機能を有する複数のアイコンやボタンをそれぞれ異なる色調に設定した状態で画面表示し、
かつ、画面表示された複数の前記アイコンや前記ボタンのうち、利用者がいずれのアイコンやボタンを選択して操作したかという操作結果に基づいて該利用者の現時点における色覚障害状態を判定した判定結果を、該利用者が前記アイコンや前記ボタンを選択して操作する都度、逐次累積していき、
かつ、該利用者が前記アイコンや前記ボタンを選択して操作する都度、逐次累積した前記判定結果に基づいて取得される該利用者の現時点における累積色覚障害状態に応じた色調に、画面表示されている文字や画像や背景の色調を調整する、
ことを特徴とする。
【００２４】
（２）本発明によるディスプレイ表示方法は、
カラーディスプレイを備えたディスプレイ付き電子機器において、利用者の色覚状態に応じて色調を調整して前記カラーディスプレイに画面表示するディスプレイ表示方法であって、
通常の動作モード中に前記カラーディスプレイに画面表示される利用者操作用のアイコンやボタンとして、同一画面上に同じ機能を有する複数のアイコンやボタンをそれぞれ異なる色調に設定した状態で画面表示し、
かつ、画面表示された複数の前記アイコンや前記ボタンのうち、前記利用者がいずれのアイコンやボタンを選択して操作したかという操作結果に基づいて該利用者の現時点における色覚障害状態を判定した判定結果を、該利用者が前記アイコンや前記ボタンを選択して操作する都度、逐次累積していき、
かつ、該利用者が前記アイコンや前記ボタンを選択して操作する都度、逐次累積した前記判定結果に基づいて取得される該利用者の現時点における累積色覚障害状態に応じた色調に、画面表示されている文字や画像や背景の色調を調整する、
ことを特徴とする。
【００２５】
（３）本発明によるディスプレイ表示プログラムは、
カラーディスプレイを備えたディスプレイ付き電子機器において、利用者の色覚状態に応じて色調を調整して前記カラーディスプレイに画面表示する処理をコンピュータによって実行するディスプレイ表示プログラムであって、
通常の動作モード中に前記カラーディスプレイに画面表示される利用者操作用のアイコンやボタンとして、同一画面上に同じ機能を有する複数のアイコンやボタンをそれぞれ異なる色調に設定した状態で画面表示し、
かつ、画面表示された複数の前記アイコンや前記ボタンのうち、前記利用者がいずれのアイコンやボタンを選択して操作したかという操作結果に基づいて該利用者の現時点における色覚障害状態を判定した判定結果を、該利用者が前記アイコンや前記ボタンを選択して操作する都度、逐次累積していき、
かつ、該利用者が前記アイコンや前記ボタンを選択して操作する都度、逐次累積した前記判定結果に基づいて取得される該利用者の現時点における累積色覚障害状態に応じた色調に、画面表示されている文字や画像や背景の色調を調整する、
ことを特徴とする。
【発明の効果】
【００２６】
本発明のディスプレイ付き電子機器、ディスプレイ表示方法およびディスプレイ表示プログラムによれば、カラーディスプレイ上に、同じ目的の操作用に色調が異なる複数のアイコンやボタンを表示し、色覚障害を有する利用者が、いずれのアイコンを選択したかという選択結果を取得することによって、画面の色調表示を該利用者の色覚に次第に合わせて行くことを可能にしているので、主に、以下のような効果を奏することができる。
【００２７】
第１に、色覚障害者である利用者は、特に意識することなく、自動的に、見易いカラー表示を取得することが可能となる。
【００２８】
第２に、色覚状態のタイプや色覚障害状態の程度により色の見え方が異なるが、一意の最適化ではなく、全ての色覚状態のタイプや色覚障害状態の程度に対応することができるカラー表示を実現することができる。
【００２９】
第３に、通常動作モード中において、常に、カラー表示の自動調整を行うので、今までの色覚障害状態判定結果から得られた利用者の色覚障害状態のタイプや程度が変わる都度、その時点において該利用者にとって最も見易いカラー表示を継続して表示することができる。
【図面の簡単な説明】
【００３０】
【図１】色覚正常者と色覚障害者との色の見え方の一例を説明するための説明図である。
【図２（Ａ）】本発明に係るディスプレイ付き電子機器の一例であるスマートフォンの画面イメージの一例を示す模式図である。
【図２（Ｂ）】本発明に係るディスプレイ付き電子機器の一例であるＰＣの画面イメージの一例を示す模式図である。
【図２（Ｃ）】本発明に係るディスプレイ付き電子機器の一例であるＰＣの画面イメージの図２（Ｂ）とは異なる例を示す模式図である。
【図２（Ｄ）】本発明に係るディスプレイ付き電子機器の一例であるＰＣの画面イメージの図２（Ｂ）、図２（Ｃ）とは異なる例を示す模式図である。
【図２（Ｅ）】本発明に係るディスプレイ付き電子機器の一例であるスマートフォンの画面イメージの図２（Ａ）とは異なる例を示す模式図である。
【図２（Ｆ）】本発明に係るディスプレイ付き電子機器の一例であるスマートフォンの画面イメージの図２（Ｅ）とは異なる例を示す模式図である。
【図２（Ｇ）】本発明に係るディスプレイ付き電子機器の一例であるスマートフォンまたはＰＣの画面イメージの図２（Ａ）〜図２（Ｆ）とは異なる例を示す模式図である。
【図２（Ｈ）】現状の技術におけるテレビジョン装置の画面イメージの一例を示す模式図である。
【図２（Ｉ）】本発明に係るディスプレイ付き電子機器の一例であるテレビジョン装置の画面イメージの一例を示す模式図である。
【図３】本発明に係るディスプレイ付き電子機器の一例を示すスマートフォンの内部構成の一例を示すブロック構成図である。
【図４】図３に示したスマートフォンの動作の一例を説明するためのフローチャートである。
【図５】色覚正常者における虹の色の順番を示す色相環の説明図である。
【図６】色覚障害者における虹の色の順番を示す色相環の説明図である。
【発明を実施するための形態】
【００３１】
以下、本発明によるディスプレイ付き電子機器、ディスプレイ表示方法およびディスプレイ表示プログラムの好適な実施形態について添付図を参照して説明する。なお、以下の説明においては、本発明によるディスプレイ付き電子機器およびディスプレイ表示方法について説明するが、かかるディスプレイ表示方法をコンピュータにより実行可能なディスプレイ表示プログラムとして実施するようにしても良いし、あるいは、ディスプレイ表示プログラムをコンピュータにより読み取り可能な記録媒体に記録するようにしても良いことは言うまでもない。また、以下の各図面に付した図面参照符号は、理解を助けるための一例として各要素に便宜上付記したものであり、本発明を図示の態様に限定することを意図するものではないことも言うまでもない。
【００３２】
（本発明の特徴）
本発明の実施形態の説明に先立って、本発明の特徴についてその概要をまず説明する。本発明は、カラーディスプレイ上に、同じ目的の操作用のアイコンとして色調が異なる複数（例えば２つ）のアイコンを表示し、色覚障害を有する利用者が、いずれのアイコンを選択したかという選択結果を逐次取得することによって、カラーディスプレイ画面の色調表示を自動的に調整して、画面上の文字や画像（前記アイコンも含む）や背景の色調表示を当該利用者の色覚に次第に合わせて行くことを主要な特徴としている。而して、色覚障害を有する利用者が、通常の動作モード中において、色調が次第に見易くなっていく色調のアイコンを選択する操作を繰り返すことによって、見難かったカラーディスプレイ上の文字や画像や背景を見易い色調に次第に自動的に調整して行くことが可能になる。さらには、色覚障害を有する利用者にとっては、操作が難しい設定メニュー等によってあらかじめ色覚に関する情報を設定するという現状の技術において適用されることが多い作業を不要にすることができるという効果も得られる。
【００３３】
さらに、本発明の特徴を、ディスプレイ付き電子機器の一例としてスマートフォンのタッチパネル搭載ディスプレイを例に取って説明すると、以下の通りである。スマートフォンにおいて誰もが良く使用するアイコンやボタン（例えば「戻る」「進む」「キャンセル」「←」「→」「≪」「＜」や「ＯＫ」「決定」「終了」「×」など）であって、同一機能のものを同一ディスプレイ画面上に複数配置することが可能なとき（さらに、同一機能のものを複数配置していても利用者が混乱することがないとき）がある。このようなときには、複数のそれぞれのアイコンやボタンを、色調を変えて、色覚正常者（Ｃ型）には良く見えるもの、１型色覚障害者（Ｐ型）には良く見えるもの、２型色覚障害者（Ｄ型）には良く見えるもの、というように、各色覚状態に応じた色分けをしてレイアウトする。
【００３４】
スマートフォンの利用者は、それぞれの色覚に応じて、同一機能の複数のアイコンやボタンのうち一番見易いアイコンやボタンにタッチ操作することになるので、該スマートフォンは当該利用者の見易いアイコンやボタンの操作状況例えばタッチ回数に基づいて当該利用者の色覚状態を常時判定することにより、当該利用者の色覚障害状態の有無、色覚障害状態のタイプ・程度を、累積する形で総合的に判定することができる。さらに、当該利用者の色覚障害状態のタイプ・程度の累積した判定結果に基づいて、スマートフォンは、当該利用者のその時点における色覚障害状態のタイプ・程度に追随して、見易い色合いの文字や画像（アイコンやボタンも含む）や背景を自動的に画面表示していくことができる。
【００３５】
而して、色覚障害状態の事前判断、調整、設定といった操作を、スマートフォンの利用者が意図的に実行することが不要になる。そして、通常の動作モードにおける操作として利用者が一番見易いアイコンやボタンのタッチ操作を行う都度、該利用者の色覚障害状態の判定を繰り返すことによって、色覚障害状態のタイプ・色覚障害状態の程度のパターンを細分化していくことができる。そして、細分化した該パターンに応じた色変換（濃淡や明滅などを含む）を行うこが可能になるので、スマートフォンのデザイナのカラーデザインや色覚正常者が見るカラー表現とはかけ離れない範囲の近似カラー表現にして色覚障害者に対して提供することが可能になる。
【００３６】
つまり、本発明は、以下のような観点からなされた発明である。前述したように、人間の目の網膜には３種類の錐体細胞があり、それぞれ赤、緑、青を感じる視物質を有しており、３種類の視物質のうちいずれかの視物質の機能が損なわれた状態が「色覚障害状態」である。色覚正常者に向けたディスプレイのカラー表現は、デザイン性や強調点など考慮して、様々な色使いがなされていることが多い。しかしながら、色覚障害者にとっては、デザイナの意図した色使いを、理解することができない（例えば、異なる機能であることを区別するために、緑色・赤色を用いて分けて表示していても、緑色・赤色とは理解することができない）上に、さらに、同一の色であると認識されてしまう可能性もある。一方、色覚障害者に配慮した表現性を重視した場合には、使用色を制限されたデザインとなってしまい、色覚正常者にとっては使い難いデザインになってしまう可能性がある。
【００３７】
すなわち、色使いの表現によって機能の差異などを区別しようとする場合には、色覚障害者と色覚正常者との双方を配慮したものとすることが重要である。かかる観点から、ディスプレイ付き電子機器の利用者が、色覚障害者であるかあるいは色覚正常者であるかをあらかじめ判断した上で、それぞれに適したカラー表現を提供しようとする技術に関して、現状の技術として既に種々の提案が行われている。
【００３８】
しかし、現実には、あらかじめ判断した際の体調などや、その後の色覚障害状態程度の進退の如何によっては、色覚障害者用に最適と思われたカラー表現でさえも適切ではない状況が発生する可能性もある。したがって、特に色覚障害者にとっては、ディスプレイ付き電子機器を利用する都度、カラー表現の調整が行われることが期待される。一方、色覚障害者と色覚正常者との双方がディスプレイ付き電子機器を共有している場合、当該ディスプレイ付き電子機器を利用する都度、色覚障害者自身が独自にカラー表現の調整を行うと、当該色覚障害者が最適な見易さを求める余り、当該ディスプレイ付き電子機器のデザイナのカラーデザインや色覚正常者のカラー表現から大幅にかけ離れてしまって、表現の共通性を失ってしまう可能性も生じてしまう。
【００３９】
本発明は、かくのごとき観点を考慮してなされたものであり、色覚障害者の意図的な設定行為がなされない状態であっても、当該色覚障害者にとって見易い状態に自動的にカラー調整を行いつつ、色覚正常者との表現の協調性を極力保つカラー表現にすることを可能にするディスプレイ付き電子機器を実現している。
【００４０】
＜本発明の実施形態＞
次に、本発明に係るディスプレイ付き電子機器およびディスプレイ表示方法に関する実施形態について、図面を参照しながら詳細に説明する。図１は、色覚正常者と色覚障害者との色の見え方の一例を説明するための説明図であり、上下２段に４個ずつボタンが配置されていて、それぞれが異なる色で発光して、全体で８色に光る場合のボタンのイメージを示している。図１（Ａ）は、色覚正常者（Ｃ型）と１型色覚障害者（Ｐ型）と２型色覚障害者（Ｄ型）との各ボタンの色の見え方を横並びに示した説明図であり、番号を付して示すそれぞれのボタンの色が色覚状態により異なって光っている様子を示している。また、図１（Ｂ）は、図１（Ａ）の各ボタンに関する色覚正常者（Ｃ型）の色の見え方を説明する説明図であり、図１（Ｃ）は、図１（Ａ）の各ボタンに関する１型色覚障害者（Ｐ型）と２型色覚障害者（Ｄ型）との色の見え方を説明する説明図である。
【００４１】
色覚正常者（Ｃ型）にとっては、図１（Ｂ）に示すように、「１：しろ」「２：きいろ」「３：むらさき」「４：みずいろ」「５：あか」「６：あお」「７：みどり」「８：くろ」の８色の色表現である。しかし、１型色覚障害者（Ｐ型）および２型色覚障害者（Ｄ型）の場合には、両者の間には、色の濃淡には若干の差はあるものの、図１（Ｃ）に示すように、「１：みずいろ」「２：きいろ」「３：あお」「４：みずいろ」「５：くろ」「６：あお」「７：きいろ」「８：くろ」と水色・黄・青・黒の４色の色表現として理解される。つまり、色覚正常者（Ｃ型）と１型色覚障害者（Ｐ型）および２型色覚障害者（Ｄ型）との間には、実際の色の見え方に差が生じている。
【００４２】
以下には、本発明に係るディスプレイ付き電子機器に採用するカラーユニバーサルデザイン（ＣＵＤ）として、色覚正常者（Ｃ型）と１型色覚障害者（Ｐ型）および２型色覚障害者（Ｄ型）との双方にとって見易い配色について、図２（Ａ）〜図２（Ｉ）の各図面を用いてまず説明する。図２（Ａ）は、本発明に係るディスプレイ付き電子機器の一例であるスマートフォンの画面イメージの一例を示す模式図であり、タッチパネルを搭載したディスプレイを備えたスマートフォンの「設定」画面を画面表示している場合を示している。
【００４３】
図２（Ａ）に示す「設定」画面においては、画面左上の「設定」の文字列の左側に三角マークの「戻る」アイコン５１が表示され、さらに、画面右下にも幅広い矢印マークの「戻る」アイコン５２が表示されている。これら２つの「戻る」アイコン５１、「戻る」アイコン５２は、全く同一の機能を有している。ここで、２つの「戻る」アイコン５１、「戻る」アイコン５２のいずれの背景色も青緑〜緑みの青系統の色であった場合において、画面左上の「戻る」アイコン５１の色を背景色と類似する青色とし、一方、画面右下の「戻る」アイコン５２の色を背景色の補色関係になる赤色としている。かかる「設定」画面が画面表示された場合、１型色覚障害者（Ｐ型）および２型色覚障害者（Ｄ型）と色覚正常者（Ｃ型）では、前の画面に戻る操作を行う際に、通常、これら２つのアイコンのうち、それぞれが見え易い方のアイコンにタッチする。
【００４４】
すなわち、１型色覚障害者（Ｐ型）および２型色覚障害者（Ｄ型）にとっては、画面右下の赤色の「戻る」アイコン５２は見え難いので、見え易い画面左上の青色の「戻る」アイコン５１にタッチすることになる。これに対して、色覚正常者（Ｃ型）の場合は、画面左上の青色の「戻る」アイコン５１は背景色と類似していて見え難くなっているので、背景色と補色関係にあって見え易い画面右下の赤色の「戻る」アイコン５２にタッチすることになる。つまり、１型色覚障害者（Ｐ型）および２型色覚障害者（Ｄ型）は青色、色覚正常者（Ｃ型）は赤色と、見え難い色よりも見え易い色が配色されている「戻る」アイコンを優先的にタッチするようになる。
【００４５】
次に、図２（Ｂ）は、本発明に係るディスプレイ付き電子機器の一例であるＰＣの画面イメージの一例を示す模式図であり、タッチパネルを搭載したディスプレイを備えたＰＣの確認用のポップアップ画面を画面表示している場合を示している。図２（Ｂ）に示すポップアップ画面においては、画面中央下側に「ＯＫ」アイコン５３と「キャンセル」アイコン５４とが並んで表示され、さらに、画面右上に「×」アイコン５５が表示されている。「キャンセル」アイコン５４と「×」アイコン５５との２つのアイコンは、全く同一の機能を有している。
【００４６】
ここで、ポップアップ画面の背景色が青緑〜緑みの青系統の色であった場合において、「ＯＫ」アイコン５３と「キャンセル」アイコン５４との文字色を黒色とし、また、「キャンセル」アイコン５４の色をポップアップ画面の背景色と類似する青色とする。一方、「×」アイコン５５の記号色を白色とし、また、「×」アイコン５５の色をポップアップ画面の背景色とは補色関係になる赤色としている。なお、文字色が黒の「ＯＫ」アイコン５３の色は、白色としている。
【００４７】
図２（Ｂ）に示すポップアップ画面において、取り消しの操作を行う場合には、１型色覚障害者（Ｐ型）および２型色覚障害者（Ｄ型）にとっては、画面右上の赤色の「×」アイコン５５は見え難いので、見え易い画面中央下側の青色の「キャンセル」アイコン５４に優先的にタッチすることになる。これに対して、色覚正常者（Ｃ型）の場合は、画面中央下側の青色の「キャンセル」アイコン５４はポップアップ画面の背景色と類似していて見え難くなっているので、背景色と補色関係にあって見え易い画面右上の赤色の「×」アイコン５５に優先的にタッチすることになる。
【００４８】
次に、図２（Ｃ）は、本発明に係るディスプレイ付き電子機器の一例であるＰＣの画面イメージの図２（Ｂ）とは異なる例を示す模式図であり、タッチパネルを搭載したディスプレイを備えたＰＣの確認督促用のポップアップ画面を画面表示している場合を示している。図２（Ｃ）に示すポップアップ画面においては、図２（Ｂ）から「キャンセル」アイコン５４が削除されていて、画面中央下側に「ＯＫ」アイコン５３のみが表示され、さらに、画面右上に「×」アイコン５５が表示されている。なお、図２（Ｃ）の場合、図２（Ｂ）とは異なり、「ＯＫ」アイコン５３と「×」アイコン５５とは、全く同一の機能を有している。ここで、ポップアップ画面の背景色が青緑〜緑みの青系統の色であった場合において、「ＯＫ」アイコン５３の文字色を黒色とし、また、「ＯＫ」アイコン５４の色をポップアップ画面の背景色と類似する青色とする。一方、「×」アイコン５５の記号色を白色とし、また、「×」アイコン５５の色をポップアップ画面の背景色とは補色関係になる赤色としている。
【００４９】
図２（Ｃ）に示すポップアップ画面においては、１型色覚障害者（Ｐ型）および２型色覚障害者（Ｄ型）にとっては、画面右上の赤色の「×」アイコン５５は見え難いので、見え易い画面中央下側の青色の「ＯＫ」アイコン５３に優先的にタッチすることになる。これに対して、色覚正常者（Ｃ型）の場合は、画面中央下側の青色の「ＯＫ」アイコン５３は背景色と類似していて見え難くなっているので、背景色と補色関係にあって見え易い画面右上の赤色の「×」アイコン５５に優先的にタッチすることになる。
【００５０】
次に、図２（Ｄ）は、本発明に係るディスプレイ付き電子機器の一例であるＰＣの画面イメージの図２（Ｂ）、図２（Ｃ）とは異なる例を示す模式図であり、タッチパネルを搭載したディスプレイを備えたＰＣの確認用の図２（Ｂ）とは異なるポップアップ画面を画面表示している場合を示している。図２（Ｄ）に示すポップアップ画面においては、図２（Ｂ）、図２（Ｃ）とは異なり、画面上側にはタイトルバー５７の領域が確保されるとともに、該タイトルバー５７の右端に「×」アイコン５５と「×」アイコン５６との２つのアイコンが並んで表示されている。「×」アイコン５５と「×」アイコン５６との２つのアイコンは、全く同一の機能を有している。なお、ポップアップ画面の中央下側には、図２（Ｂ）の場合と同様、「ＯＫ」ボタン５３と「キャンセル」アイコン５４とが並んで表示されていて、「キャンセル」アイコン５４も、タイトルバー５７の「×」アイコン５５と「×」アイコン５６と全く同一の機能を有している。
【００５１】
ここで、ポップアップ画面のタイトルバー５７の背景色が青緑〜緑みの青系統の色であり、ポップアップ画面のタイトルバー５７以外の背景色は白地の色であった場合において、タイトルバー５７に並んで表示されている一方の「×」アイコン５６の色をタイトルバー５７の背景色と類似する青色とし、他方の「×」アイコン５５の色をタイトルバー５７の背景色とは補色関係になる赤色としている。また、「×」アイコン５５と「×」アイコン５６との記号色は、白色としている。つまり、タイトルバー５７に２つ並べて配置した「×」アイコン５５と「×」アイコン５６とは、全く同じ機能を有しているが、それぞれの配色は、赤色と青色としている。なお、ポップアップ画面の中央下側の白地の背景色の中に並んで表示されている「ＯＫ」アイコン５３と「キャンセル」アイコン５４とは、いずれも、白色とし、また、いずれの文字色も黒である。
【００５２】
図２（Ｄ）に示すポップアップ画面において、取り消しの操作を行う場合には、１型色覚障害者（Ｐ型）および２型色覚障害者（Ｄ型）にとっては、タイトルバー５７の右端にある赤色の「×」アイコン５５は見え難いので、見え易い左隣にある青色の「×」アイコン５６に優先的にタッチすることになる。これに対して、色覚正常者（Ｃ型）の場合は、青色の「×」アイコン５６はタイトルバー５７の背景色と類似すると類似していて見え難くなっているので、タイトルバー５７の背景色と補色関係にあって見え易い右端の赤色の「×」アイコン５５あるいは場合によっては画面中央下側の「キャンセル」アイコン５４に優先的にタッチすることになる。
【００５３】
以上の図２（Ａ）〜図２（Ｄ）に示すように、操作用のアイコンの配色に応じて、１型色覚障害者（Ｐ型）および２型色覚障害者（Ｄ型）は青色、色覚正常者（Ｃ型）は赤色と、見え難い色よりも見え易い色が配色されているアイコンを優先的にタッチするようになる。
【００５４】
次に、図２（Ｅ）は、本発明に係るディスプレイ付き電子機器の一例であるスマートフォンの画面イメージの図２（Ａ）とは異なる例を示す模式図であり、タッチパネルを搭載したディスプレイを備えたスマートフォンの「ウェブブラウザ」画面を画面表示している場合を示している。
【００５５】
図２（Ｅ）に示す「ウェブブラウザ」画面においては、画面左上の「http://〜」のＵＲＬ欄６３の左端に「＜」マークの「戻る」アイコン６１が表示され、さらに、「ウェブブラウザ」画面外の画面左下にも幅広の矢印付き円弧マークの「戻る」アイコン６２が表示されている。これら２つの「戻る」アイコン６１、「戻る」アイコン６２は、ほぼ同一の機能を有していて、「戻る」アイコン６１はウェブブラウザ内において一つ前のページに戻る機能を有し、「戻る」アイコン６２は一つ前の操作に戻る機能を有している。
【００５６】
ここで、ＵＲＬ欄６３の背景色が青緑〜緑みの青系統の色であって、「ウェブブラウザ」画面外の画面の背景色が白地の色であった場合において、ＵＲＬ欄６３の左端の「戻る」アイコン６１の色をＵＲＬ欄６３の背景色と類似する青色とし、記号色を白色としている。一方、画面左下の「戻る」アイコン６２の幅広い記号そのものの配色を赤色としている。
【００５７】
図２（Ｅ）に示すウェブブラウザ画面において、戻る操作を行う場合には、１型色覚障害者（Ｐ型）および２型色覚障害者（Ｄ型）にとっては、画面左下の記号色が赤色の「戻る」アイコン６２は見え難いので、ＵＲＬ欄６３の左端にある見え易い青色の「戻る」アイコン６１に優先的にタッチすることになり、ウェブブラウザ内の一つ前のページに戻ることになる。これに対して、色覚正常者（Ｃ型）の場合は、ＵＲＬ欄６３の左端にある青色の「戻る」アイコン６１はＵＲＬ欄６３の背景色と類似していて見え難くなっているので、見え易い画面左下の赤色の「戻る」アイコン６２に優先的にタッチすることになり、一つ前の操作に戻ることになる。
【００５８】
次に、図２（Ｆ）は、本発明に係るディスプレイ付き電子機器の一例であるスマートフォンの画面イメージの図２（Ｅ）とは異なる例を示す模式図であり、タッチパネルを搭載したディスプレイを備えたスマートフォンの図２（Ｅ）とは異なる「ウェブブラウザ」画面を画面表示している場合を示している。
【００５９】
図２（Ｆ）に示す「ウェブブラウザ」画面においては、図２（Ｅ）の場合と同様に、画面左上の「http://〜」のＵＲＬ欄６３の左端に「＜」マークの「戻る」アイコン６１が表示され、さらに、「ウェブブラウザ」画面外の画面左下にも幅広の矢印付き円弧マークの「戻る」アイコン６２が表示されている。これら２つの「戻る」アイコン６１、「戻る」アイコン６２は、ほぼ同一の機能を有していて、「戻る」アイコン６１はウェブブラウザ内において一つ前のページに戻る機能を有し、「戻る」アイコン６２は一つ前の操作に戻る機能を有している。
【００６０】
ここで、ＵＲＬ欄６３の背景色が青緑〜緑みの青系統の色であって、「ウェブブラウザ」画面外の画面の背景色が白地の色であった場合において、ＵＲＬ欄６３の左端の「戻る」アイコン６１の色をＵＲＬ欄６３の背景色とは補色関係になる赤色とし、「戻る」アイコン６１の記号色を表示枠内の背景色と補完関係になる青緑色としている。一方、画面左下の「戻る」アイコン６２の記号そのものの配色を青色とし、かつ、「戻る」アイコン６２の背景色を白地の色としている。
【００６１】
図２（Ｆ）に示すウェブブラウザ画面において、戻る操作を行う場合には、１型色覚障害者（Ｐ型）および２型色覚障害者（Ｄ型）にとっては、画面左上の赤色の「戻る」アイコン６１は見え難いので、見え易い画面左下にある記号色が青色の「戻る」アイコン６２に優先的にタッチすることになり、一つ前の操作に戻ることになる。これに対して、色覚正常者（Ｃ型）の場合は、画面左下の青色の「戻る」アイコン６２は赤色の場合よりも目立たない色であるので、ＵＲＬ欄６３の背景色と補色関係にあってさらに見え易くなっている画面左上の赤色の「戻る」アイコン６１に優先的にタッチすることになり、ウェブブラウザ内の一つ前のページに戻ることになる。
【００６２】
次に、図２（Ｇ）は、本発明に係るディスプレイ付き電子機器の一例であるスマートフォンまたはＰＣの画面イメージの図２（Ａ）〜図２（Ｆ）とは異なる例を示す模式図であり、タッチパネルを搭載したディスプレイを備えたスマートフォンまたはＰＣの「ウェブブラウザ」画面のスクロールバーを画面表示している場合を示している。すなわち、ウェブブラウザが画面表示するウェブページの画面表示サイズが１画面内に収容し切れない場合に、画面表示する部分を移動させるためのスクロールバー６４とスクロールボタン６５とが、画面右端に表示される場合を示している。
【００６３】
図２（Ｇ）に示す「ウェブブラウザ」画面においては、画面右端のスクロールバー６４の背景色が青緑〜緑みの青系統の色であった場合において、該スクロールバー６４上を移動するスクロールボタン６５は利用者向きにはスクロール操作用の一つのボタンであるが、該スクロールボタン６５の表示色を左右半分ずつに分けて、スクロールバー６４の背景色と補色関係になる赤色と、スクロールバー６４の背景色と類似する青色との２色表示としている。
【００６４】
つまり、利用者が当該「ウェブブラウザ」画面上のスクロールボタン６５を利用して、画面表示するウェブページ部分を移動させる際に、２色表示になっているスクロールボタン６５の表示色（赤色ボタン６５１と青色ボタン６５２）のいずれを選択しても同じ機能であり、一方の色ボタンを選択してスクロール操作しても他方の色ボタンも追随してスクロール操作していることになる。しかし、スマートフォンまたはＰＣの内部機能として、スクロールボタン６５の表示色（赤色ボタン６５１と青色ボタン６５２）のうち、赤色ボタン６５１をスクロール操作しているか、あるいは、青色ボタン６５２をスクロール操作しているかを識別する機能を備えている。
【００６５】
図２（Ｇ）に示すウェブブラウザ画面において、スクロール操作を行う場合には、１型色覚障害者（Ｐ型）および２型色覚障害者（Ｄ型）にとっては、スクロールボタン６５左側の赤色ボタン６５１は見え難いので、見え易いスクロールボタン６５右側の青色ボタン６５２を優先的に選択してスクロール操作することになり、この操作によりウェブページの画面表示部分をスクロールすることができる。これに対して、色覚正常者（Ｃ型）の場合は、スクロールボタン６５右側の青色ボタン６５２はスクロールバー６４の背景色と類似していて見え難くなっているので、スクロールバー６４の背景色の青緑〜緑みの青系統の色と補色関係にあって見え易いスクロールボタン６５左側の赤色ボタン６５１を優先的に選択してスクロール操作することになり、この操作によりウェブページの画面表示部分をスクロールすることになる。
【００６６】
次に、図２（Ｈ）は、現状の技術におけるテレビジョン装置の画面イメージの一例を示す模式図であり、現状の一般的な地上デジタル放送におけるデータ放送メニューを画面表示している場合を示している。現状の技術として図２（Ｈ）に示すデータ放送メニュー画面７０においては、破線によって囲んでいるように、天気７１、ニュース７２、情報７３、その他７４の４つのメニュー項目をテレビ画面下側に画面表示していて、それぞれのメニュー項目の配色を、メニュー項目を選択するためのリモコンの色ボタンと合わせて、青色、赤色、緑色、黄色の色表示としている。しかし、１型色覚障害者（Ｐ型）と２型色覚障害者（Ｄ型）とにとっては、赤色のニュース７２、緑色の情報７３との色識別は難しく、例えば、ニュース７２を選択するつもりでリモコンを操作しても、情報７３を誤って選択している場合も生じてしまう。
【００６７】
図２（Ｉ）は、本発明に係るディスプレイ付き電子機器の一例であるテレビジョン装置の画面イメージの一例を示す模式図であり、図２（Ｈ）の場合と同様、地上デジタル放送におけるデータ放送メニューを画面表示している場合を示している。図２（Ｉ）に示すデータ放送メニュー画面７５においては、破線によって囲んでいるように、天気７６、ニュース７７の２つのメニュー項目をテレビ画面下側に画面表示している。
【００６８】
そして、天気７６、ニュース７７それぞれのメニュー項目ごとに２つずつの色ボタンを「または」の文字列を挟む形で配置していて、２つの色ボタンのいずれか見え易い方の色ボタンを選択して操作することにより該当するメニュー項目を選択することを可能にしている。すなわち、天気７６のメニュー項目においては、青色ボタン７６１と赤色ボタン７６２との２つの色ボタンを「または」の文字列を挟んで配置し、ニュース７７のメニュー項目においては、緑色ボタン７７１と黄色ボタン７７２との２つの色ボタンを「または」の文字列を挟んで配置している。そして、例えば、天気７６のメニュー項目は、青色ボタン７６１と赤色ボタン７６２とのいずれを操作しても、選択することができる。
【００６９】
図２（Ｉ）に示すデータ放送メニュー画面７５において、天気７６のメニュー項目を選択する場合には、１型色覚障害者（Ｐ型）および２型色覚障害者（Ｄ型）にとっては、画面右側の赤色ボタン７６２は見え難いので、見え易い画面左側の青色ボタン７６１をリモコンにより優先的に選択する。これに対して、色覚正常者（Ｃ型）の場合は、いずれの色ボタンも見え易い状態になっているものの、青色よりも赤色の方がより目立つ色合いであるので、青色ボタン７６１よりも赤色ボタン７６２をリモコンにより選択することが多くなる傾向がある。
【００７０】
また、ニュース７７のメニュー項目を選択する場合には、１型色覚障害者（Ｐ型）および２型色覚障害者（Ｄ型）にとっては、画面左側の緑色ボタン７７１は見え難いので、見え易い画面右側の黄色ボタン７７２をリモコンにより優先的に選択する。これに対して、色覚正常者（Ｃ型）の場合は、いずれの色ボタンも見え易い状態にあるので、緑色ボタン７７１、黄色ボタン７７２のいずれでもリモコンにより選択することができる。
【００７１】
以上の図２（Ａ）〜図２（Ｉ）の各図面においては、色覚障害者として１型色覚障害者（Ｐ型）および２型色覚障害者（Ｄ型）を対象としている場合における配色について説明したが、３型色覚障害者（Ｔ型）を対象とする場合には、前述したように、３型色覚障害者（Ｔ型）にとって青色と緑色との識別が難しいので、例えば、背景色を青色とし、選択用のアイコンやボタンを黄色等に配色することによって、適切なアイコンやボタンを優先的に選択することが可能になる。
【００７２】
（実施形態の構成例）
次に、本発明に係るディスプレイ付き電子機器の構成例について、タッチパネル付きのディスプレイを備えたスマートフォンの場合を例にとって説明する。図３は、本発明に係るディスプレイ付き電子機器の一例を示すスマートフォンの内部構成の一例を示すブロック構成図である。
【００７３】
図３に示すスマートフォン１０は、内部に、制御部１、ディスプレイ２、主記憶部３、各種無線部４、音声入出力部５およびＢＡＴＴＥＲＹ６を少なくとも備えている。制御部１は、ＣＰＵ１１とメモリ１２とによって構成され、スマートフォン１０の各機能ブロック（各構成要素）の動作を制御する。また、ディスプレイ２は、カラー表示部２１とタッチパネル２２とによって構成され、カラー表示部２１に色付きの各種情報を画面表示することにより、当該スマートフォン１０の利用者に対して出力情報（アウトプット情報）を通知し、タッチパネル２２により、該利用者の画面へのタッチ操作情報（インプット情報）を受け取る。
【００７４】
また、主記憶部３は、累積色覚障害状態判定結果設定テーブル３１とカラー変換テーブル３２とを少なくとも格納している。累積色覚障害状態判定結果設定テーブル３１は、カラー表示部２１に画面表示されるアイコンやボタンの種類ごとに、それぞれのアイコンやボタンに対して当該スマートフォン１０の利用者により現時点までにタッチ操作やスクロール操作等の何らかの操作がなされた累積操作結果例えば累積操作回数と、それぞれのアイコンやボタンに対する該累積操作結果例えば累積操作回数に基づいて累積色覚障害状態判定結果として現時点において判定した該利用者に関する色覚障害状態の有無と色覚障害状態タイプおよび色覚障害状態の程度とのそれぞれの累積判定結果例えば累積判定回数と、を少なくとも含む情報を記憶している。
【００７５】
ここで、前記累積操作結果としては、前述のような累積操作回数のみならず、さらに、例えば、利用者がタッチ操作を行っている時間長（すなわち、アイコンやボタンに触れている時間の長さ）や前記アイコンや前記ボタンが画面表示されてから利用者がタッチ操作を行うまでの時間長等に関するそれぞれの平均時間長などを含む情報を追加することも可能である。
【００７６】
また、カラー変換テーブル３２は、現時点において判定した該利用者に関する累積色覚障害状態判定結果（色覚障害状態の有無と色覚障害状態タイプおよび色覚障害状態の程度とのそれぞれの累積判定結果例えば累積判定回数）に応じたカラーユニバーサルデザイン（ＣＵＤ）の色変換の組み合わせ（濃淡や明滅などを含む）を記憶している。
【００７７】
ここで、カラー変換テーブル３２におけるカラーユニバーサルデザイン（ＣＵＤ）の色変換の組み合わせとしては、スマートフォン１０を利用する利用者である色覚障害者にとって見易いカラー表示が該ディスプレイ付き電子機器のデザイナのカラーデザインや色覚正常者が見ているカラー表示からかけ離れてしまうことがない近似した色調が取得される色変換の組み合わせによって構成されている。なお、主記憶部３には、図示していないが、制御部１において実行される各種のアプリ（例えば電話アプリ、ゲームアプリ、カメラアプリ、設定アプリ等）に関するプログラムも格納されている。
【００７８】
また、各種無線部４は、３Ｇ／ＬＴＥや無線ＬＡＮ等の無線ネットワークへの各種の接続機能を有している。また、音声入出力部５は、マイク、スピーカ、レシーバ等を含んで構成され、利用者に対する音声情報の入出力（インプットおよびアウトプット）を行う機能を有している。そして、ＢＡＴＴＥＲＹ６は、スマートフォン１０の各機能ブロック（各構成要素）に対して電源供給を行う機能を有している。
【００７９】
（実施形態の動作の説明）
次に、本発明に係るディスプレイ付き電子機器の一例として図３に示したスマートフォン１０の動作の一例について、図４のフローチャートを用いて詳細に説明する。図４は、図３に示したスマートフォン１０の動作の一例を説明するためのフローチャートである。ここで、スマートフォン１０のディスプレイ２に利用者の操作用として画面表示されるアイコンやボタン（例えば「戻る」「進む」「キャンセル」「←」「→」「≪」「＜」や「ＯＫ」「決定」「終了」「×」など）に関しては、図２（Ａ）〜図２（Ｇ）に前述したように、カラーユニバーサルデザイン（ＣＵＤ）を採用している。そして、スマートフォン１０の利用者が混乱しない範囲内において、一つの画面上に、同一の機能を有するアイコンやボタンを複数配置し、かつ、複数のアイコンやボタンそれぞれは互いに異なる色調になっている。つまり、同一の機能を有する複数のアイコンやボタンそれぞれは、色覚正常状態、色覚障害状態のタイプ・程度に応じて、それぞれに見え易い色調になるように色分けして配置している。
【００８０】
図４のフローチャートにおいて、制御部１が、通常の動作モード中において、各種のアプリ（例えば電話アプリ、ゲームアプリ、カメラアプリ、設定アプリ等）に関するプログラムを起動して、各種の処理を開始すると、該処理に関する各種の画面がディスプレイ２のカラー表示部２１に画面表示する（ステップＳ１）。画面表示される各種の画面には、さらに、スマートフォン１０の利用者の色覚障害状態の有無を判定すると同時に、色覚障害状態の場合には色覚障害状態のタイプ・程度を判定するための情報として色覚障害状態判定アイコン（ボタン）も表示される。すなわち、同一画面には、該利用者が混乱を生じない範囲内で、同一機能を有する複数のアイコンやボタンが、色覚障害状態判定アイコン（ボタン）として、互いに異なる色調を用いて表示される（ステップＳ２）。
【００８１】
ここでは、該色覚障害状態判定アイコン（ボタン）として、例えば‘Ａ’と‘Ｂ’との２つの色覚障害状態を判定するための色調を有する２つのアイコン（ボタン）が表示されているものと仮定する。例えば、‘Ａ’の色覚障害状態とは、タイプ・程度が１型色覚障害状態（Ｐ型）・色盲（２色覚）、‘Ｂ’の色覚障害状態とは、タイプ・程度が３型色覚障害状態（Ｔ型）・色盲（２色覚）等を意味している。しかし、同一機能のアイコン（ボタン）を同一表示画面上に複数配置することが可能であり、かつ、同一機能のアイコン（ボタン）を同一表示画面上に複数配置していても利用者が混乱することがない限り、２つに限らず、色覚障害状態の有無・色覚障害状態のタイプおよび程度を判別するための複数個のアイコン（ボタン）を色覚障害状態判定アイコン（ボタン）として表示するようにしても構わない。
【００８２】
図４にフローチャートの説明に戻って、同じ機能を有するアイコン（ボタン）として色覚障害状態判定アイコン（ボタン）付きの画面がディスプレイ２のカラー表示部２１に画面表示されると、その都度、利用者は、該色覚障害状態判定アイコン（ボタン）のいずれかにタッチする操作を行う。スマートフォン１０の制御部１は、該利用者が色覚障害状態判定アイコン（ボタン）のいずれかにタッチする操作を行う都度、カラー表示部２１に画面表示された‘Ａ’と‘Ｂ’との２つの色覚障害状態判定アイコン（ボタン）のうち、どの色覚障害状態判定アイコン（ボタン）にタッチしたかを、タッチパネル２２からの出力に基づいて判定する（ステップＳ３）。
【００８３】
該利用者が‘Ａ’の色覚障害状態判定アイコン（ボタン）にタッチしていた場合には（ステップＳ３の‘Ａ’）、制御部１は、‘Ａ’の色覚障害状態判定アイコン（ボタン）のタッチ操作の判定結果として、該利用者の現時点における色覚状態について‘Ａ’に関する色覚障害状態とその程度とを取得する。したがって、制御部１は、取得した該利用者の現時点における‘Ａ’に関する色覚障害状態（例えばタイプが１型色覚障害状態（Ｐ型）かつその程度が色盲（２色覚））と、主記憶部３の累積色覚障害状態判定結果設定テーブル３１に記憶されている現時点に至るまでの過去の累積色覚障害状態判定結果とに基づいて、該利用者の現時点における‘Ａ’に関する累積色覚障害状態のタイプ・程度の判定を行う（ステップＳ４）。ここで、現時点における‘Ａ’に関する累積色覚障害状態の判定とは、現時点の色覚障害状態の判定結果も含め、今までの‘Ａ’に関する累積色覚障害状態の全ての判定結果を総合的に判定した結果のことであり、例えば、全ての判定結果の累積回数を計数することを意味している。
【００８４】
同様に、該利用者が‘Ｂ’の色覚障害状態判定アイコン（ボタン）にタッチしていた場合には（ステップＳ３の‘Ｂ’）、制御部１は、‘Ｂ’の色覚障害状態判定アイコン（ボタン）のタッチ操作の判定結果として、該利用者の現時点における色覚状態について‘Ｂ’に関する色覚障害状態とその程度とを取得する。したがって、制御部１は、取得した該利用者の現時点における‘Ｂ’に関する色覚障害状態（例えばタイプが１型色覚障害状態（Ｐ型）かつその程度が色盲（２色覚））と、主記憶部３の累積色覚障害状態判定結果設定テーブル３１に記憶されている現時点に至るまでの過去の累積色覚障害状態判定結果とに基づいて、該利用者の現時点における‘Ｂ’に関する累積色覚障害状態のタイプ・程度の判定を行う（ステップＳ５）。
【００８５】
言い換えると、ステップＳ３〜ステップＳ５においては、まず、色覚障害状態の有無・色覚障害状態のタイプおよび程度を判別するための複数個のアイコン（ボタン）が色覚障害状態判定アイコン（ボタン）として表示されていた場合、ステップＳ３の判定処理において、色覚正常状態・色覚障害状態のいずれのアイコン（ボタン）にタッチしたか、色覚障害状態のアイコン（ボタン）にタッチしていた場合には、さらに、いずれの色覚障害状態のタイプ・程度のアイコン（ボタン）にタッチしたかを判定する。そして、それぞれの判定結果に基づいて、ステップＳ４、ステップＳ５として、それぞれに該当する累積色覚障害状態の判定処理を行うことになる。
【００８６】
次いで、ステップＳ４、ステップＳ５においてそれぞれ判定した該利用者の現時点における累積色覚障害状態のタイプ・程度の判定結果を主記憶部３の累積色覚障害状態判定結果設定テーブル３１に記憶する（ステップＳ６）。つまり、主記憶部３の累積色覚障害状態判定結果設定テーブル３１に記憶されていた現時点に至るまでの過去の累積判定結果を更新する形で、現時点における累積色覚障害状態のタイプ・程度の判定結果を上書き記憶する。なお、累積色覚障害状態判定結果設定テーブル３１には、色覚障害状態の場合のみならず、色覚正常状態に関しても、色覚正常状態と判定した累積結果が累積色覚正常状態として記憶されている。
【００８７】
しかる後、判定した該利用者の現時点における累積色覚障害状態のタイプ・程度の判定結果に基づいて、主記憶部３のカラー変換テーブル３２を参照して、判定した該利用者の現時点における累積色覚障害状態のタイプ・程度（色覚障害状態の有無と色覚障害状態タイプおよび色覚障害状態の程度の累積結果）に応じたカラーユニバーサルデザイン（ＣＵＤ）の色変換の組み合わせを取得する（ステップＳ７）。そして、取得したカラーユニバーサルデザイン（ＣＵＤ）の色変換の組み合わせを用いて、画面表示されていた画面上の文字や画像（色覚障害状態判定アイコン（ボタン）も含む）や背景の配色を、色覚障害を有する該利用者にとっても見え易く、かつ、色覚正常者が見ている色合いに近似したカラー表現に変更する（ステップＳ８）。
【００８８】
以上の動作により、色覚障害状態判定アイコン（ボタン）として同じ機能を有する複数のアイコン（ボタン）が配置されている画面に関する１回の処理が終了する。したがって、次回からは、同じ画面をディスプレイ２のカラー表示部２１に画面表示する際には、同じ画面の文字や画像や背景の配色は、アイコン（ボタン）の配色も含め、色覚障害を有する該利用者が見易い色調表示に自動的に更新されて表示されることになる。そして、スマートフォン１０の通常動作モード中において、かかる自動的な更新表示を繰り返すことにより、同じ画面の配色を、色覚障害を有する該利用者の色覚に次第に近づけていくことが可能になるので、より精度の高いカラーユニバーサルデザイン（ＣＵＤ）に対応させた画面になるように、ディスプレイ２のカラー表示部２１の画面表示状態を自動的に調整することができる。
【００８９】
以上に説明したように、スマートフォン１０において誰もが良く使用するアイコンやボタン（例えば「戻る」「進む」「キャンセル」「←」「→」「≪」「＜」や「ＯＫ」「決定」「終了」「×」など）であって、同一機能のものを同一表示画面上に複数配置することが可能なとき（さらに、同一機能のものを複数配置していても利用者が混乱することがないとき）がある。このようなときには、複数のそれぞれのアイコンやボタンを、色覚障害状態判定アイコン（ボタン）として、色調を変えて、色覚正常者（Ｃ型）に良く見えるもののみならず、１型色覚障害者（Ｐ型）に良く見えるもの、２型色覚障害者（Ｄ型）に良く見えるもの、というように色分けしてレイアウトする。
【００９０】
スマートフォン１０の利用者は、それぞれの色覚に応じて、同一機能の複数のアイコンやボタンのうち一番見易いアイコンやボタンにタッチ操作することになるので、該スマートフォン１０は当該利用者の見易いアイコンやボタンの操作状況例えば操作回数に基づいて、当該利用者の色覚を常時判定することにより、当該利用者の現時点における色覚障害状態の有無、色覚障害状態のタイプ・程度を、累積する形でより正確に判定することができる。さらに、当該利用者の色覚障害状態のタイプ・程度の累積した判定結果に基づいて、スマートフォン１０は、当該利用者のその時点における色覚障害状態のタイプ・程度に追随して、見易い色合いの文字や画像（アイコンやボタンも含む）や背景を自動的に画面表示していくことができる。
【００９１】
而して、色覚障害状態の事前判断、調整、設定といったことを、スマートフォン１０の利用者が意図的に実行することが不要になる。そして、通常の動作モードにおける操作として利用者が一番見易いアイコンやボタンのタッチ操作を行う都度、該利用者の色覚障害状態の判定を繰り返すことによって、色覚障害状態のタイプ・色覚障害状態の程度のパターンを細分化していくことができる。そして、細分化した該パターンに応じたカラー変換テーブル３２を用いて色変換を行うことによって、スマートフォン１０のデザイナのカラーデザインや色覚正常者が見るカラー表現とはかけ離れない範囲の近似カラー表現にして色覚障害者に対して提供することが可能となる。
【００９２】
さらに説明すると、次の通りである。同じ目的の操作用のアイコン（ボタン）として色調が異なる複数（例えば２つ）のアイコン（ボタン）をディスプレイ２のカラー表示部２１に画面表示し、色覚障害を有する利用者が、いずれのアイコン（ボタン）を選択したかという情報を逐次取得することによって、ディスプレイ２のカラー表示部２１に画面表示した文字や画像（操作用のアイコン（ボタン）も含む）や背景の色調表示を自動的に調整して、色調表示を当該利用者の色覚に次第に合わせて行くことが可能になる。而して、色覚障害を有する利用者が、色調が次第に見易くなっていく色調のアイコン（ボタン）を選択していく操作を繰り返すことによって、ディスプレイ２のカラー表示部２１上の画面も、見難かった文字や画像（アイコン（ボタン）も含む）や背景が見易い色調に次第に自動的に調整させて行くことが可能になる。さらには、色覚障害を有する利用者にとって、操作が難しい設定メニュー等によって各アイコン（ボタン）の色調をあらかじめ設定する必要もなくなるという効果も得られる。
【００９３】
（実施形態の効果の説明）
以上に詳細に説明したように、本実施形態においては、以下のような効果が得られる。
【００９４】
第１に、色覚障害者である利用者は、特に意識することなく、自動的に、見易いカラー表示を取得することが可能となる。
【００９５】
第２に、色覚状態のタイプや色覚障害状態の程度により色の見え方が異なるが、一意の最適化ではなく、全ての色覚状態のタイプや色覚障害状態の程度に対応することができるカラー表示を実現することができる。
【００９６】
第３に、通常動作モード中において、常に、カラー表示の自動調整を行うので、今までの色覚障害状態判定結果から得られた利用者の色覚障害状態のタイプや程度が変わる都度、その時点において該利用者にとって最も見易いカラー表示を継続して表示することができる。
【００９７】
第４に、色覚障害者である利用者が見易いカラー表示を、スマートフォン等のディスプレイ付き電子機器のデザイナのカラーデザインや色覚正常者が見ているカラー表現からかけ離れてしまうことがない近似した表示にすることができる。
【００９８】
＜本発明の他の実施形態＞
前述の実施形態においては、本発明に係るディスプレイ付き電子機器としてタッチパネル付きのカラーディスプレイを備えたスマートフォンを例にして説明したが、本発明に係るディスプレイ付き電子機器は、かかるスマートフォンに限るものではない。
【００９９】
例えば、タッチパネルがないカラーディスプレイを有する電話機の場合には、テンキーを色点灯可能な構造にしておき、機能設定などで決定をする際に、カラーディスプレイには「点灯している番号キーを押してください。」という画面を表示する。そして、テンキーの１番キーを赤点灯、２番キーを青点灯させておく。
【０１００】
該画面表示を見た利用者は、色覚正常者であった場合には、１番キーと２番キーとを押下することになるが、色覚障害者によっては、１番キーの赤点灯がはっきり見えないために２番キーだけを押下することになる。したがって、前述したスマートフォンの場合と同じ効果を得ることができる。
【０１０１】
さらに、テンキーを発光表示させるＬＥＤを多色点灯が可能なものにすれば、前述したスマートフォンにおけるアイコン（ボタン）のタッチ操作による累積色覚障害状態判定結果の取得動作の場合と同様に、テンキーに関する累積押下操作結果により得られる累積色覚障害状態判定結果に基づいて、今まで赤点灯させていた１番キーを、次回からは、例えば、緑色や青みの緑色やピンク色や黄みの橙色などの点灯に切り替えて行くようにし、色覚障害状態のタイプ・程度に応じたカラー表示に次第に近づけることが可能になる。
【０１０２】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【０１０３】
１        制御部
２        ディスプレイ
３        主記憶部
４        各種無線部
５        音声入出力部
６        ＢＡＴＴＥＲＹ
１０      スマートフォン
１１      ＣＰＵ
１２      メモリ
２１      カラー表示部
２２      タッチパネル
３１      累積色覚障害状態判定結果設定テーブル
３２      カラー変換テーブル
５１      「戻る」アイコン
５２      「戻る」アイコン
５３      「ＯＫ」アイコン
５４      「キャンセル」アイコン
５５      「×」アイコン
５６      「×」アイコン
５７      タイトルバー
６１      「戻る」アイコン
６２      「戻る」アイコン
６３      ＵＲＬ欄
６４      スクロールバー
６５      スクロールボタン
７０      データ放送メニュー画面
７１      天気
７２      ニュース
７３      情報
７４      その他
７５      データ放送メニュー画面
７６      天気
７７      ニュース
６５１    赤色ボタン
６５２    青色ボタン
７６１    青色ボタン
７６２    赤色ボタン
７７１    緑色ボタン
７７２    黄色ボタン
【図１】
2019191730.tif 000003
【図２（Ａ）】
2019191730.tif 000004
【図２（Ｂ）】
2019191730.tif 000005
【図２（Ｃ）】
2019191730.tif 000006
【図２（Ｄ）】
2019191730.tif 000007
【図２（Ｅ）】
2019191730.tif 000008
【図２（Ｆ）】
2019191730.tif 000009
【図２（Ｇ）】
2019191730.tif 000010
【図２（Ｈ）】
2019191730.tif 000011
【図２（Ｉ）】
2019191730.tif 000012
【図３】
2019191730.tif 000013
【図４】
2019191730.tif 000014
【図５】
2019191730.tif 000015
【図６】
2019191730.tif 000016